(57)【要約】【課題】表示領域が制限される状況下においても、ユーザに対して新規且つ有用な情報を提供すること。【解決手段】情報提供者が提供する情報に対応付けられ、携帯電話網を用いて提供されるインターネット接続サービスのメニューリストから特定されるメニューの表示位置を、情報提供者からの入札価格に基づいて決定するメニュー生成システムにおいて、情報提供者から提供される情報を管理し、携帯電話機１からの要求に応じて上記メニューリストを配信する移動通信センター３と、情報提供者からの入札価格に基づいてメニューの表示位置の競売処理を行う入札／落札処理部４２、その競売処理による落札結果に応じてメニューの表示位置を並び替える並び替え処理部４３及び並び替え処理部４３により並び替えられたメニューの表示位置をメニューリストに反映させるデータ反映処理部４４を有するオークションシステム４と、を具備することを特徴とする。【選択図】図１
2009301229.tif 000002
【特許請求の範囲】
【請求項１】
情報提供者が提供する情報に対応付けられ、携帯電話網を用いて提供されるインターネット接続サービスのメニューリストから特定されるメニューの表示位置を、前記情報提供者からの入札価格に基づいて決定するメニュー生成システムであって、
前記情報提供者から提供される情報を管理し、ユーザ端末からの要求に応じて前記メニューリストを配信するサーバ装置と、前記情報提供者からの入札価格に基づいて前記メニューの表示位置の競売処理を行う競売処理部、前記競売処理による落札結果に応じて前記メニューの表示位置を並び替える並び替え処理部及び前記並び替え処理部により並び替えられた前記メニューの表示位置を前記メニューリストに反映させる反映処理部を有する競売処理装置と、を具備することを特徴とするメニュー生成システム。
【請求項２】
前記競売処理部は、前記メニューが属するジャンルを示し、当該メニューにリンクされた第１ジャンルメニューと一緒に表示される所定数の前記メニューの表示位置の競売処理を行うことを特徴とする請求項１記載のメニュー生成システム。
【請求項３】
前記並び替え処理部は、前記第１ジャンルメニューの表示位置を、当該第１ジャンルメニューに属する前記メニューに対する落札総額に応じて並び替えることを特徴とする請求項２記載のメニュー生成システム。
【請求項４】
前記並び替え処理部は、前記第１ジャンルメニューが属するジャンルを示し、当該第１ジャンルメニューにリンクされた第２ジャンルメニューの表示位置を、当該第２ジャンルメニューに関連付けられる前記メニューに対する落札総額に応じて並び替えることを特徴とする請求項２又は請求項３記載のメニュー生成システム。
【請求項５】
前記競売処理部は、前記サーバ装置で管理される前記ユーザ端末からのアクセス履歴に基づいて前記メニューの表示位置における初期入札価格を決定することを特徴とする請求項１から請求項４のいずれかに記載のメニュー生成システム。
【請求項６】
情報提供者が提供する情報に対応付けられ、携帯電話網を用いて提供されるインターネット接続サービスのメニューリストから特定されるメニューの表示位置を、前記情報提供者からの入札価格に基づいて決定するメニューリスト生成方法であって、
前記情報提供者からの入札価格に基づいて前記メニューの表示位置の競売処理を行うステップと、前記競売処理による落札結果に応じて前記メニューの表示位置を並び替えるステップと、並び替えられた前記メニューの表示位置を前記メニューリストに反映させるステップと、を具備することを特徴とするメニュー生成方法。
【請求項７】
前記メニューが属するジャンルを示し、当該メニューにリンクされた第１ジャンルメニューと一緒に表示される所定数の前記メニューの表示位置の競売処理を行うことを特徴とする請求項６記載のメニュー生成方法。
【請求項８】
前記第１ジャンルメニューの表示位置を、当該第１ジャンルメニューに属する前記メニューに対する落札総額に応じて並び替えることを特徴とする請求項７記載のメニュー生成方法。
【請求項９】
前記第１ジャンルメニューが属するジャンルを示し、当該第１ジャンルメニューにリンクされた第２ジャンルメニューの表示位置を、当該第２ジャンルメニューに関連付けられる前記メニューに対する落札総額に応じて並び替えることを特徴とする請求項７又は請求項８記載のメニュー生成方法。
【発明の詳細な説明】
【技術分野】
【０００１】
本発明は、メニュー生成システム及びメニュー生成方法に関し、特に、携帯電話網を用いて提供されるインターネット接続サービスのメニューリストから特定されるメニューの表示位置を、当該メニューに対する情報提供者からの入札価格に基づいて決定するメニュー生成システム及びメニュー生成方法に関する。
【背景技術】
【０００２】
従来、通信事業者から携帯電話網を用いて提供されるインターネット接続サービスを受けることができる携帯電話機が普及している。このような携帯電話機においては、ユーザがインターネット接続サービスのための接続ボタンを選択することにより、携帯電話網を介してサーバ装置との間で通信を行い、本インターネット接続サービスのＷｅｂサイトのトップページを表示可能となっている。トップページには、例えば、図１４（ａ）に示すように、本インターネット接続サービスにおけるメニューリストを表示させるためのメニューリストボタン１４１が含まれている。
【０００３】
メニューリストにおいては、図１４（ｂ）に示すように、情報提供者から提供される情報が各種ジャンル毎に区分けして対応づけられた大ジャンルメニュー１４２が一覧表示されている。そして、このメニューリストから特定の大ジャンルメニュー１４２（ここでは、「待受画面／フレーム」）が選択されると、図１４（ｃ）に示すように、当該大ジャンルメニュー１４２にリンクされた小ジャンルメニュー１４３と、この小ジャンルメニュー１４３にリンクされたＷｅｂサイトリンクメニュー１４４のうち、一部のＷｅｂサイトリンクメニュー１４４とが表示される。なお、Ｗｅｂサイトリンクメニュー１４４には、情報提供者が提供するＷｅｂサイトがリンクされている。このＷｅｂサイトリンクメニュー１４４が選択されると、該当するＷｅｂサイトが携帯電話機に表示可能となっている。
【０００４】
この場合において、小ジャンルメニュー１４３と一緒に表示されるＷｅｂサイトリンクメニュー１４４は、各小ジャンルメニュー１４３の内容に応じて一定数（図１４（ｃ）においては、全ての小ジャンルメニュー１４３で３つ）に限定されている。このように小ジャンルメニュー１４３と一緒に表示されるＷｅｂサイトリンクメニュー１４４は、例えば、該当するＷｅｂサイトにおける会員登録者数に応じて選択され、最も会員登録者数が多いＷｅｂサイトリンクメニュー１４４から上方側の位置に表示されるものとなっている。
【特許文献１】特開２００３−１３２２３１号公報
【発明の開示】
【発明が解決しようとする課題】
【０００５】
さて、このような携帯電話網を用いたインターネット接続サービスにおいては、携帯電話機の特性上、その表示領域が制限されるため、効率的にその表示領域を利用して情報を表示することが要請される。このような背景の下、小ジャンルメニュー１４３と一緒に表示されるＷｅｂサイトリンクメニュー１４４を会員登録者数に応じて選択する場合には、表示されるＷｅｂサイトリンクメニュー１４４が、一定の情報提供者のものに固定される事態が発生し得る。このような事態が発生する場合には、ユーザに提供される情報の種類が特定の情報に限定されることから、ユーザにとって新規且つ有用な情報を入手することが困難となる。また、新規且つ有用な情報をユーザに提供しようとする情報提供者の制約ともなり得る。
【０００６】
本発明は、このような実情に鑑みて為されたものであり、ユーザに対して新規且つ有用な情報を提供することができるメニュー生成システム及びメニュー生成方法を提供することを目的とする。
【課題を解決するための手段】
【０００７】
本発明のメニュー生成システムは、情報提供者が提供する情報に対応付けられ、携帯電話網を用いて提供されるインターネット接続サービスのメニューリストから特定されるメニューの表示位置を、前記情報提供者からの入札価格に基づいて決定するメニュー生成システムであって、前記情報提供者から提供される情報を管理し、ユーザ端末からの要求に応じて前記メニューリストを配信するサーバ装置と、前記情報提供者からの入札価格に基づいて前記メニューの表示位置の競売処理を行う競売処理部、前記競売処理による落札結果に応じて前記メニューの表示位置を並び替える並び替え処理部及び前記並び替え処理部により並び替えられた前記メニューの表示位置を前記メニューリストに反映させる反映処理部を有する競売処理装置と、を具備することを特徴とする。
【０００８】
この構成によれば、情報提供者からの入札価格に基づいてメニューの表示位置の競売処理が行われると共に、その落札結果に応じてメニューの表示位置が並び替えられ、当該メニューの表示位置がメニューリストに反映されることから、特定の情報提供者に対応するメニューのみが表示される事態を防止できるので、ユーザに対して新規且つ有用な情報を提供することが可能となる。
【０００９】
例えば、本発明のメニュー生成システムにおいて、前記競売処理部は、前記メニューが属するジャンルを示し、当該メニューにリンクされた第１ジャンルメニューと一緒に表示される所定数の前記メニューの表示位置の競売処理を行うことが考えられる。この場合には、第１ジャンルメニューと一緒に表示されるメニューが所定数に限定される場合においても、特定の情報提供者に対応するメニューのみが表示される事態を防止できるので、ユーザに対して新規且つ有用な情報を提供することが可能となる。
【００１０】
本発明のメニュー生成システムにおいて、前記並び替え処理部は、前記第１ジャンルメニューの表示位置を、当該第１ジャンルメニューに属する前記メニューに対する落札総額に応じて並び替えることが好ましい。この場合には、第１ジャンルメニューに属するメニューに対する落札総額に応じて第１ジャンルメニューの表示位置が並び替えられることから、例えば、情報提供に積極的な情報提供者が集まる第１ジャンルメニューを表示領域の目立つ位置に配置することができる。これにより、この第１ジャンルメニューに属するメニューに対するユーザの注目度を向上することができるので、結果として、ユーザに対して新規且つ有用な情報を提供することが可能となる。
【００１１】
また、本発明のメニュー生成システムにおいて、前記並び替え処理部は、前記第１ジャンルメニューが属するジャンルを示し、当該第１ジャンルメニューにリンクされた第２ジャンルメニューの表示位置を、当該第２ジャンルメニューに関連付けられる前記メニューに対する落札総額に応じて並び替えることが好ましい。この場合には、第２ジャンルメニューに関連付けられるメニューに対する落札総額に応じて第２ジャンルメニューの表示位置が並び替えられることから、例えば、情報提供に積極的な情報提供者が集まる第２ジャンルメニューを表示領域の目立つ位置に配置することができる。これにより、この第２ジャンルメニューに関連付けられるメニューに対するユーザの注目度を向上することができるので、結果として、ユーザに対して新規且つ有用な情報を提供することが可能となる。
【００１２】
なお、本発明のメニュー生成システムにおいて、前記競売処理部は、前記サーバ装置で管理される前記ユーザ端末からのアクセス履歴に基づいて前記メニューの表示位置における初期入札価格を決定するようにしても良い。この場合には、ユーザ端末からのアクセス履歴に基づいてメニューの表示位置における初期入札価格が決定されるので、アクセス履歴に見合った初期入札価格を設定でき、入札価格が過度に高額になるような事態を防止することが可能となる。
【００１３】
本発明のメニュー生成方法は、情報提供者が提供する情報に対応付けられ、携帯電話網を用いて提供されるインターネット接続サービスのメニューリストから特定されるメニューの表示位置を、前記情報提供者からの入札価格に基づいて決定するメニューリスト生成方法であって、前記情報提供者からの入札価格に基づいて前記メニューの表示位置の競売処理を行うステップと、前記競売処理による落札結果に応じて前記メニューの表示位置を並び替えるステップと、並び替えられた前記メニューの表示位置を前記メニューリストに反映させるステップと、を具備することを特徴とする。
【００１４】
この方法によれば、情報提供者からの入札価格に基づいてメニューの表示位置の競売処理が行われると共に、その落札結果に応じてメニューの表示位置が並び替えられ、当該メニューの表示位置がメニューリストに反映されることから、特定の情報提供者に対応するメニューのみが表示される事態を防止できるので、ユーザに対して新規且つ有用な情報を提供することが可能となる。
【００１５】
例えば、本発明のメニュー生成方法においては、前記メニューが属するジャンルを示し、当該メニューにリンクされた第１ジャンルメニューと一緒に表示される所定数の前記メニューの表示位置の競売処理を行うことが考えられる。この場合には、第１ジャンルメニューと一緒に表示されるメニューが所定数に限定される場合においても、特定の情報提供者に対応するメニューのみが表示される事態を防止できるので、ユーザに対して新規且つ有用な情報を提供することが可能となる。
【００１６】
本発明のメニュー生成方法においては、前記第１ジャンルメニューの表示位置を、当該第１ジャンルメニューに属する前記メニューに対する落札総額に応じて並び替えることが好ましい。この場合には、第１ジャンルメニューに属するメニューに対する落札総額に応じて第１ジャンルメニューの表示位置が並び替えられることから、例えば、情報提供に積極的な情報提供者が集まる第１ジャンルメニューを表示領域の目立つ位置に配置することができる。これにより、この第１ジャンルメニューに属するメニューに対するユーザの注目度を向上することができるので、結果として、ユーザに対して新規且つ有用な情報を提供することが可能となる。
【００１７】
また、本発明のメニュー生成方法においては、前記第１ジャンルメニューが属するジャンルを示し、当該第１ジャンルメニューにリンクされた第２ジャンルメニューの表示位置を、当該第２ジャンルメニューに関連付けられる前記メニューに対する落札総額に応じて並び替えることが好ましい。この場合には、第２ジャンルメニューに関連付けられるメニューに対する落札総額に応じて第２ジャンルメニューの表示位置が並び替えられることから、例えば、情報提供に積極的な情報提供者が集まる第２ジャンルメニューを表示領域の目立つ位置に配置することができる。これにより、この第２ジャンルメニューに関連付けられるメニューに対するユーザの注目度を向上することができるので、結果として、ユーザに対して新規且つ有用な情報を提供することが可能となる。
【発明の効果】
【００１８】
本発明によれば、情報提供者からの入札価格に基づいてメニューの表示位置の競売処理が行われると共に、その落札結果に応じてメニューの表示位置が並び替えられることから、特定の情報提供者に対応するメニューのみが表示される事態を防止できるので、ユーザに対して新規且つ有用な情報を提供することが可能となる。
【発明を実施するための最良の形態】
【００１９】
以下、本発明の実施の形態について添付図面を参照して詳細に説明する。本発明に係るメニュー生成システムは、携帯電話網を用いて提供されるインターネット接続サービスのメニューリストから特定されるメニューの表示位置を、当該メニューに対する情報提供者からの入札価格に基づいて決定するものである。なお、以下においては、本発明を具現化したメニュー生成システムについて説明するが、本発明は、これに限定されるものではなく、メニュー生成方法としても成立するものである。
【００２０】
図１は、本発明の一実施の形態に係るメニュー生成システムの概略構成を示す図である。図１に示すメニュー生成システムは、ユーザ端末としての携帯電話機１と、この携帯電話機１と移動通信網（携帯電話網）であるコアネットワーク２を介して接続されたサーバ装置としての移動通信センター３及び競売処理装置としてのオークションシステム４と、移動通信センター３とインターネット５のようなネットワークを介して接続された、情報提供者が使用するパーソナルコンピュータ（以下、「情報提供者ＰＣ」という）６とから主に構成される。なお、図１においては、オークションシステム４がコアネットワーク２上に配置される場合について説明しているが、インターネット５上に配置することも可能である。
【００２１】
携帯電話機１は、オペレーティングシステム（移動機ＯＳ）を有しており、移動機ＯＳ上でブラウザ機能、ビューワ機能及びその他の機能が動作可能に構成されている。また、携帯電話機１は、通常の携帯電話機が有する機能（例えば、通話機能やメール通信機能など）を備えている。
【００２２】
コアネットワーク２は、携帯電話機１と移動通信センター３との間のネットワークである。このコアネットワーク２には、通常の移動通信網に加えて移動パケット通信網も含まれる。ネットワークには、インターネット５をはじめその他のネットワーク、例えば、ＬＡＮやＷＡＮなども含まれる。
【００２３】
移動通信センター３は、例えば、ｉモード（登録商標）サーバであり、コアネットワーク２とインターネット５とを結ぶゲートウェイ機能を担っており、具体的には、情報配信機能、メール送受信機能、メール蓄積機能、契約ユーザ管理機能、情報提供者（ＩＰ：Information Provider）管理機能及び情報料課金機能を有する。
【００２４】
オークションシステム４は、ＩＰ登録処理部４１、競売処理部としての入札／落札処理部４２、並び替え処理部４３、反映処理部としてのデータ反映処理部４４及びアクセス集計処理部４５を備え、例えば、情報提供者（ＩＰ）のユーザ登録、入札の受け付け、落札者の確定、落札結果に応じたメニューの表示位置の並び替え、並び替えたメニューの表示位置の反映、携帯電話機１からのアクセス数の集計などを行う。オークションデータベース（ＤＢ）４６には、各処理部４１〜４５で実行される処理に必要な情報が登録される。なお、各処理部４１〜４６の詳細な処理については後述する。
【００２５】
情報提供者ＰＣ６は、例えば、通常のパーソナルコンピュータで構成され、移動通信センター３に対して情報提供者が情報（具体的には、当該情報提供者が提供するＷｅｂサイトに関する情報）を登録する際や、オークションシステム４に対して情報提供者が事前にユーザ登録する際、並びに、後述する入札処理における入札価格を指定する際に用いられるものである。
【００２６】
移動通信センター３においては、情報提供者ＰＣ６からインターネット５を介して予め登録された情報（Ｗｅｂサイトに関する情報）を管理し、その情報を用いてコアネットワーク２を介して携帯電話機１に対してインターネット接続サービス（例えば、ｉモード）を提供するものとなっている。このインターネット接続サービスにおいては、携帯電話機１からの要求に応じて、図２（ａ）で示すようなメニューリストが配信される。
【００２７】
オークションシステム４においては、このように移動通信センター３により提供されるインターネット接続サービスのメニューリストから特定されるメニューの表示位置の競売処理を行う。具体的には、メニューリストから特定されるメニューに対する情報提供者からの入札価格を受け付け、当該入札価格に基づいてメニューの表示位置を決定するものとなっている。
【００２８】
ここで、本実施の形態に係るメニュー生成システムのオークションシステム４において表示位置の競売処理の対象となるメニューについて説明する。図２は、移動通信センター３により提供されるインターネット接続サービスにおけるメニューリスト（同図（ａ））と、このメニューリストから切り替えられるメニュー画面（同図（ｂ））の一例を示す図である。
【００２９】
オークションシステム４において表示位置の競売処理の対象となるメニューには、情報提供者が提供するＷｅｂサイトにリンクされるＷｅｂサイトリンクメニュー（以下、単に「リンクメニュー」という）２１と、このリンクメニュー２１が属するジャンルを示し、１つ以上のリンクメニュー２１にリンクされる小ジャンルメニュー２２と、この小ジャンルメニュー２２が属するジャンルを示し、１つ以上の小ジャンルメニュー２２にリンクされる大ジャンルメニュー２３とが含まれる。なお、これらのリンクメニュー２１、小ジャンルメニュー２２及び大ジャンルメニュー２３は、それぞれ特許請求の範囲におけるメニュー、第１ジャンルメニュー及び第２ジャンルメニューを構成する。
【００３０】
大ジャンルメニュー２３は、図２（ａ）に示すように、メニューリストに表示される。一方、小ジャンルメニュー２２及びリンクメニュー２１は、図２（ｂ）に示すように、メニュー画面に表示される。図２（ａ）に示すメニューリストにおける所定の大ジャンルメニュー２３（ここでは「待受画面／フレーム」）が選択されると、図２（ｂ）に示すメニュー画面が表示される。メニュー画面には、小ジャンルメニュー２２にリンクされたリンクメニュー２１のうち、一部（ここでは３つ）のリンクメニュー２１が表示される。なお、メニュー画面から所定の小ジャンルメニュー２２が選択されると、当該小ジャンルメニュー２２にリンクされた全てのリンクメニュー２１が表示される。
【００３１】
このように構成されるメニューリスト及びメニュー画面において、オークションシステム４では、メニュー画面で小ジャンルメニュー２２と一緒に表示されるリンクメニュー２１の表示位置を決定する一方、メニュー画面における小ジャンルメニュー２２の表示位置及びメニューリストにおける大ジャンルメニュー２１の表示位置を決定するものである。この場合において、リンクメニュー２１は、情報提供者から指定される入札価格に応じて降順に並び替えられるものであり、小ジャンルメニュー２２及び大ジャンルメニュー２３は、それぞれのジャンルに属するリンクメニュー２１に対する落札金額の総額（落札総額）に応じて降順に並び替えられるものである。
【００３２】
次に、本実施の形態に係るメニュー生成システムが有するオークションシステム４の動作について説明する。図３は、本実施の形態に係るメニュー生成システムが有するオークションシステム４の動作の概略について説明するためのフロー図である。
【００３３】
オークションシステム４においては、まず、ＩＰ登録処理部４１が、情報提供者（ＩＰ）を競売に参加させるために必要なユーザ登録を行うＩＰ登録処理を実行する（ステップ（以下、「ＳＴ」という）３１）。ユーザ登録が完了した後、情報提供者ＰＣ６からの入札要求を受けると、入札／落札処理部４２が、入札価格の表示及び更新を含む入札処理を実行する（ＳＴ３２）。そして、入札期間が経過すると、入札／落札処理部４２が、落札者を確定する落札処理を実行する（ＳＴ３３）。なお、これらの入札処理及び落札処理により競売処理が構成される。
【００３４】
落札処理により落札者が確定されると、並び替え処理部４３が、メニューリストから特定されるメニュー（リンクメニュー２１、小ジャンルメニュー２２及び大ジャンルメニュー２３）を並び替える並び替え処理を実行する（ＳＴ３４）。そして、これらのメニューの並び替えが完了すると、データ反映処理部４４が、移動通信センター３で管理される情報に競売処理による落札結果を反映させるデータ反映処理を実行する（ＳＴ３５）。
【００３５】
このように競売処理による落札結果を反映させると、携帯電話機１からのアクセス要求に応じて移動通信センター３からメニューの表示位置が反映された（並び替えられた）メニューリストが配信される。そして、アクセス集計処理部４５は、このようなメニューリストに対するアクセスを確認するため、携帯電話機１からのアクセス数を集計するアクセス集計処理を実行する（ＳＴ３６）。このような一連の処理を経てオークションシステム４の動作が終了する。
【００３６】
以下、図３に示す各処理の詳細な内容について説明する。図４〜図９は、それぞれ図３に示すＩＰ登録処理（図４）、入札処理（図５）、落札処理（図６）、並び替え処理（図７）、データ反映処理（図８）及びアクセス集計処理（図９）の内容について説明するためのフロー図である。なお、移動通信センター３に対する情報提供者からの情報（Ｗｅｂサイトに関する情報）の登録は、図３に示す処理とは別に実行されることとなる。
【００３７】
情報提供者が本発明に係るメニュー生成システムにより提供される競売処理への参加を希望する場合、オークションシステム４が提供するＷｅｂサイトにアクセスし、事前にユーザ登録を行う必要がある。ＩＰ登録処理は、このようなＷｅｂサイトへのアクセスを契機に実行される。ＩＰ登録処理においては、図４に示すように、ＩＰ登録処理部４１が情報提供者ＰＣ６からのユーザ登録要求を受け付ける（ＳＴ４１）。
【００３８】
ユーザ登録要求を受け付けると、ＩＰ登録処理部４１は、ユーザ登録処理を行う（ＳＴ４２）。このユーザ登録処理においては、例えば、情報提供者を識別するためのユーザＩＤ及びパスワードや、情報提供者のメールアドレス、並びに、情報提供者が入札を希望する小ジャンルメニュー２２が登録される。前者は入札価格を指定する際に必要となるものであり、後者はこのユーザ登録の完了や落札結果を通知する際に必要となるものである。
【００３９】
ユーザ登録処理を完了したならば、ＩＰ登録処理部４１は、その旨を情報提供者に通知する（ＳＴ４３）。この通知は、例えば、上述したユーザ登録処理により登録されたメールアドレスに対して行われる。このようにユーザ登録が完了した旨を通知したならば、ＩＰ登録処理部４１は、ＩＰ登録処理を終了する。
【００４０】
このようなＩＰ登録処理を経て、情報提供者が情報を提供するリンクメニュー２１の表示位置の競売を希望する場合には、ＩＰ登録処理と同様に、オークションシステム４が提供するＷｅｂサイトにアクセスし、入札を行う必要がある。なお、この入札の際、ＩＰ登録処理において登録されたユーザＩＤ及びパスワードにより情報提供者の認証が行われる。この認証処理により、オークションシステム４において、情報提供者が入札を希望する小ジャンルメニュー２２が把握されるものとなっている。
【００４１】
入札処理は、このようなＷｅｂサイトへのアクセスを契機に実行される。すなわち、入札処理は、情報提供者ＰＣ６から入札要求を受け付けると開始される。入札／落札処理部４２は、まず、入札要求を受け付けた時点で入札期間が終了していないか判定する（ＳＴ５１）。入札期間が既に終了している場合には、入札／落札処理部４２は、入札処理を終了する。この場合において、入札期間が既に終了している旨を情報提供者に通知することは実施の形態として好ましい。
【００４２】
入札期間中である場合、入札／落札処理部４２は、情報提供者が入札を希望する小ジャンルメニュー２２に対応するリンクメニュー２１の最低入札価格を表示する（ＳＴ５２）。なお、この最低入札価格には、現在入力されている最下位枠の入札価格が表示される。ここでは、小ジャンルメニュー２２に対応するリンクメニュー２１の入札対象に設定される枠数が３つであるものとする。この場合、ＳＴ５２においては、最低入札価格として、第３番目（第３位）の枠に対する入札価格が表示されることとなる。このような最低入札価格を表示した後、情報提供者からの入札価格の入力を待機する。
【００４３】
ここで、情報提供者から入札価格の入力を受け付けたならば（ＳＴ５３）、入札／落札処理部４２は、当該入札価格（入札受付価格Ｎ）が、その小ジャンルメニュー２２に対応するリンクメニュー２１における入札金額よりも大きいか比較する比較処理を行う（ＳＴ５４）。この比較処理は、入札対象に設定されている枠数の回数分だけ行われる。上述したように、入札対象に設定されている枠数が３つである場合には、３回の比較処理が行われることとなる。
【００４４】
ここでは、まず、最低入札価格、すなわち、第３番目（第３位）の枠に対する入札価格Ｘと、入札受付価格Ｎとが比較される（ＳＴ５４−１）。ここで、入札受付価格Ｎが入札価格Ｘ以下である場合には、処理をＳＴ５３に戻し、再び情報提供者からの入札価格の入力を待機する。
【００４５】
入札受付価格Ｎが入札価格Ｘよりも大きい場合には、第２番目（第２位）の枠に対する入札価格Ｙと、入札受付価格Ｎとが比較される（ＳＴ５４−２）。入札受付価格Ｎが入札価格Ｙ以下である場合には、この入札受付価格Ｎを第３番目（第３位）の枠に対する入札価格に確定する（ＳＴ５４−３）。そして、現在の第３番目（第３位）の枠に対する入札価格表示を入札価格Ｘから入札受付価格Ｎに更新して（ＳＴ５５）、この情報提供者からの入札受付を終了する。
【００４６】
入札受付価格Ｎが入札価格Ｙよりも大きい場合には、第１番目（第１位）の枠に対する入札価格Ｚと、入札受付価格Ｎとが比較される（ＳＴ５４−４）。入札受付価格Ｎが入札価格Ｚ以下である場合には、この入札受付価格Ｎを第２番目（第２位）の枠に対する入札価格に確定すると共に、入札価格Ｙを第３番目（第３位）の枠に対する入札価格に確定する（ＳＴ５４−５）。そして、現在の第２番目（第２位）の枠に対する入札価格表示を入札価格Ｙから入札受付価格Ｎに更新すると共に、現在の第３番目（第３位）の枠に対する入札価格表示を入札価格Ｘから入札価格Ｙに更新して（ＳＴ５５）、この情報提供者からの入札受付を終了する。
【００４７】
入札受付価格Ｎが入札価格Ｚよりも大きい場合には、この入札受付価格Ｎを第１番目（第１位）の枠に対する入札価格に確定すると共に、入札価格Ｚ、Ｙを、それぞれ第２番目（第２位）、第３番目（第３位）の枠に対する入札価格に確定する（ＳＴ５４−６）。そして、現在の第１番目（第１位）の枠に対する入札価格表示を入札価格Ｚから入札受付価格Ｎに更新すると共に、現在の第２番目（第２位）、第３番目（第３位）の枠に対する入札価格表示を、それぞれ入札価格Ｙから入札価格Ｚ、入札価格Ｘから入札価格Ｙに更新して（ＳＴ５５）、この情報提供者からの入札受付を終了する。
【００４８】
落札処理は、このような入札処理と並行して実行される。落札処理において、入札／落札処理部４２は、図６に示すように、入札期間が終了したか監視している（ＳＴ６１）。入札期間が終了していない場合には、入札／落札処理部４２は、この監視処理を継続する。一方、入札期間が終了した場合には、現在、入札されている入札価格に応じて落札者を確定する（ＳＴ６２）。そして、落札者である情報提供者に落札した旨を電子メールにより通知した後（ＳＴ６３）、落札処理を終了する。
【００４９】
落札処理を終了すると、これに続いて並び替え処理が開始される。並び替え処理においては、図７に示すように、まず、並び替え処理部４３が各小ジャンルメニュー２２における上位からＮ番目までの落札金額を抽出する（ＳＴ７１）。そして、その落札金額順（降順）にリンクメニュー２１を並び替える（ＳＴ７２）。これにより、各小ジャンルメニュー２２におけるリンクメニュー２１の表示位置が決定される。
【００５０】
各リンクメニュー２１を並び替えた後、並び替え処理部４３は、これらの小ジャンルメニュー２２に属するリンクメニュー２１のランキングデータを作成し（ＳＴ７３）、その小ジャンルメニュー２２における落札金額の合計値Ｓを算出する（ＳＴ７４）。そして、この合計値Ｓの大きい順に小ジャンルメニュー２２を並び替える（ＳＴ７５）。これにより、メニュー画面における小ジャンルメニュー２２の表示位置が決定される。
【００５１】
各小ジャンルメニュー２２を並び替えた後、並び替え処理部４３は、これらの小ジャンルメニュー２２のランキングデータを作成し（ＳＴ７６）、各小ジャンルメニュー２２が属する大ジャンルメニュー２１における落札金額の合計値Ｄを算出する（ＳＴ７７）。そして、この合計値Ｄの大きい順（降順）に大ジャンルメニュー２３を並び替える（ＳＴ７８）。これにより、メニューリストにおける大ジャンルメニュー２３の表示位置が決定される。そして、並び替え処理部４３は、この大ジャンルメニュー２３のランキングデータを作成した後（ＳＴ７９）、並び替え処理を終了する。
【００５２】
並び替え処理が終了すると、これに続いてデータ反映処理が開始される。データ反映処理において、データ反映処理部４４は、図８に示すように、まず、メニューリストにおける全てのメニュー（リンクメニュー２１、小ジャンルメニュー２２及び大ジャンルメニュー２３）のランキングデータを抽出する（ＳＴ８１）。そして、この抽出したランキングデータを用いて移動通信センター３にて管理されるメニューリストのメニューに反映させる（ＳＴ８２）。なお、ランキングデータをメニューリストのメニューに反映させる際には、移動通信センター３からメニューリストを構成する情報を取得し、データ反映処理部４４で行うようにしても良いし、ランキングデータに基づいて移動通信センター３で行うようにしても良い。このようにランキングデータをメニューリストのメニューに反映させた後、データ反映処理部４４は、データ反映処理を終了する。
【００５３】
データ反映処理が終了し、携帯電話機１からの要求によりメニューリストが配信されると、アクセス集計処理が開始される。アクセス集計処理において、アクセス集計処理部４５は、図９に示すように、リンクメニュー２１を介して情報提供者が提供するＷｅｂサイトへアクセスした実績を、そのアクセス毎にカウントする（ＳＴ９１）。そして、一定時間、アクセス毎のカウントを行った後、アクセス集計処理部４５は、アクセス数ファイルを作成する（ＳＴ９２）。なお、このアクセス数ファイルは、以後のリンクメニュー２１の表示位置における初期入札価格の設定等に参照される。このように携帯電話機１からのアクセス履歴に基づいてリンクメニュー２１の表示位置における初期入札価格を決定した場合には、アクセス履歴に見合った初期入札価格を設定でき、入札価格が過度に高額になるような事態を防止することが可能となる。このようにアクセス数ファイルを作成したならば、アクセス集計処理部４５は、アクセス集計処理を終了する。
【００５４】
以上のような一連の動作を経て、オークションシステム４において、情報提供者からの入札価格に基づいてメニューリストから特定される各メニュー（リンクメニュー２１、小ジャンルメニュー２２及び大ジャンルメニュー２３）の表示位置が決定され、その表示位置を反映したメニューリストが生成される。これにより、特定の情報提供者に対応するリンクメニュー２１のみが表示される事態を防止できるので、ユーザに対して新規且つ有用な情報を提供することが可能となる。
【００５５】
次に、オークションシステム４によりその表示位置が決定される各メニュー（リンクメニュー２１、小ジャンルメニュー２２及び大ジャンルメニュー２３）の具体例について説明する。図１０〜図１３は、オークションシステム４により表示位置が決定される各メニューの一例を説明するための図である。なお、図１０〜図１３においては、各メニューの表示位置を決定する（並び替える）際にオークションＤＢ４６で管理されるデータの一例を示している。メニューリスト及びメニュー画面における各メニューの表示位置は、図１０〜図１３に示す各種データの配置に対応するものとする。ここでは、大ジャンルメニュー２３が「待受画面／フレーム」及び「着信メロディ／カラオケ」である場合について説明するものとする。なお、図１０〜図１３に示す入札価格及び落札総額は一例を示すものであり、その単位は１万円である。
【００５６】
図１０に示すように、「待受画面／フレーム」には、小ジャンルメニュー２２として「アニメーション／マンガ」及び「キャラクター」が対応付けられている。「アニメーション／マンガ」には、リンクメニュー２１として「ＡＡＡＡ」、「ＢＢＢＢ」、「ＣＣＣＣ」及び「ＤＤＤＤ」が対応付けられている。一方、「キャラクター」には、リンクメニュー２１として「ＥＥＥＥ」、「ＦＦＦＦ」及び「ＧＧＧＧ」が対応付けられている。同様に、「着信メロディ／カラオケ」には、小ジャンルメニュー２２として「邦楽」及び「洋楽」が対応付けられている。「邦楽」には、リンクメニュー２１として「ＨＨＨＨ」、「ＩＩＩＩ」、「ＪＪＪＪ」及び「ＫＫＫＫ」が対応付けられている。一方、「洋楽」には、リンクメニュー２１として「ＬＬＬＬ」、「ＭＭＭＭ」、「ＮＮＮＮ」及び「ＯＯＯＯ」が対応付けられている。なお、リンクメニュー２１における「ＡＡＡＡ」〜「ＯＯＯＯ」は、説明の便宜上、情報提供者の会社名であるものとする。すなわち、「ＡＡＡＡ」は、情報提供者ＡＡＡＡにより提供されるリンクメニュー２１である。
【００５７】
各リンクメニュー２１においては、情報提供者から入札処理を経て入札価格が指定されている。「ＡＡＡＡ」には、情報提供者ＡＡＡＡから１５０万円の入札価格で入札が行われ、「ＢＢＢＢ」には、情報提供者ＢＢＢＢから５０万円の入札価格で入札が行われている。また、「ＣＣＣＣ」には、情報提供者ＣＣＣＣから３０万円の入札価格で入札が行われ、「ＤＤＤＤ」には、情報提供者ＤＤＤＤから１００万円の入札価格で入札が行われている。同様に、「ＥＥＥＥ」には、情報提供者ＥＥＥＥから６０万円の入札価格で入札が行われ、「ＦＦＦＦ」には、情報提供者ＦＦＦＦから７０万円の入札価格で入札が行われ、「ＧＧＧＧ」には、情報提供者ＧＧＧＧから８０万円の入札価格で入札が行われている。
【００５８】
また、「ＨＨＨＨ」には、情報提供者ＨＨＨＨから３０万円の入札価格で入札が行われ、「ＩＩＩＩ」には、情報提供者ＩＩＩＩから７０万円の入札価格で入札が行われている。また、「ＪＪＪＪ」には、情報提供者ＪＪＪＪから２０万円の入札価格で入札が行われ、「ＫＫＫＫ」には、情報提供者ＫＫＫＫから５０万円の入札価格で入札が行われている。同様に、「ＬＬＬＬ」には、情報提供者ＬＬＬＬから２００万円の入札価格で入札が行われ、「ＭＭＭＭ」には、情報提供者ＭＭＭＭから１５０万円の入札価格で入札が行われている。また、「ＮＮＮＮ」には、情報提供者ＮＮＮＮから１８０万円の入札価格で入札が行われ、「ＯＯＯＯ」には、情報提供者ＯＯＯＯから１００万円の入札価格で入札が行われている。
【００５９】
上述したように、オークションシステム４においては、メニュー画面で小ジャンルメニュー２２と一緒に表示されるリンクメニュー２１の表示位置の競売処理を行うものである。ここでは、小ジャンルメニュー２２と一緒に表示されるリンクメニュー２１が３つであるとする。この場合、上述した落札処理においては、「アニメーション／マンガ」で情報提供者ＡＡＡＡ、情報提供者ＢＢＢＢ及び情報提供者ＤＤＤＤが落札者として確定される。同様に、「邦楽」で情報提供者ＩＩＩＩ、情報提供者ＫＫＫＫ及び情報提供者ＨＨＨＨが落札者として確定され、「洋楽」で情報提供者ＬＬＬＬ、情報提供者ＭＭＭＭ及び情報提供者ＮＮＮＮが落札者として確定される。なお、「キャラクター」においては、入札した全ての情報提供者ＥＥＥＥ、情報提供者ＦＦＦＦ及び情報提供者ＧＧＧＧが落札者として確定される。
【００６０】
このように落札者が確定されると、並び替え処理において、まず、リンクメニュー２１が落札金額順に並び替えられる（図７：ＳＴ７２）。ここで、落札金額は、図１０〜図１３に示す入札価格と同額であるものとする。この並び替えにより、リンクメニュー２１は、図１１に示すように並び替えられる。この場合、図１１に示すように、「アニメーション／マンガ」においては、「ＡＡＡＡ」、「ＤＤＤＤ」及び「ＢＢＢＢ」の順に並び替えられ、「キャラクター」においては、「ＧＧＧＧ」、「ＦＦＦＦ」及び「ＥＥＥＥ」の順に並び替えられる。また、「邦楽」においては、「ＩＩＩＩ」、「ＫＫＫＫ」及び「ＨＨＨＨ」の順に並び替えられ、「洋楽」においては、「ＬＬＬＬ」、「ＮＮＮＮ」及び「ＭＭＭＭ」の順に並び替えられる。
【００６１】
このようにリンクメニュー２１が並び替えられた後、リンクメニュー２１のランキングデータが作成されると共に、小ジャンルメニュー２２における落札金額の合計値（落札総額）Ｓが算出される（図７：ＳＴ７３、ＳＴ７４）。ここでは、「アニメーション／マンガ」における落札金額の合計値Ｓとして３００万円が算出され、「キャラクター」における落札金額の合計値Ｓとして２１０万円が算出される。同様に、「邦楽」における落札金額の合計値Ｓとして５３０万円が算出され、「洋楽」における落札金額の合計値Ｓとして１５０万円が算出される。
【００６２】
そして、これらの各合計値Ｓに応じて小ジャンルメニュー２２が並び替えられる（図７：ＳＴ７５）。この並び替えにより、小ジャンルメニュー２２は、図１２に示すように並び替えられる。この場合、図１２に示すように、「着信メロディ／カラオケ」においては、「洋楽」及び「邦楽」の順に並び替えられる。なお、「待受画面／フレーム」においては、「アニメーション／マンガ」及び「キャラクター」の順序が維持される。このように各合計値Ｓに応じて小ジャンルメニュー２２の表示位置を並び替えることにより、情報提供に積極的な情報提供者が集まる小ジャンルメニュー２２を表示領域における目立ち易い位置に配置することが可能となる。
【００６３】
このように小ジャンルメニュー２２が並び替えられた後、小ジャンルメニュー２２のランキングデータが作成されると共に、大ジャンルメニュー２３における落札金額の合計値（落札総額）Ｄが算出される（図７：ＳＴ７６、ＳＴ７７）。ここでは、「待受画面／フレーム」における落札金額の合計値Ｄとして５１０万円が算出され、「着信メロディ／カラオケ」における落札金額の合計値Ｄとして６８０万円が算出される。
【００６４】
そして、これらの各合計値Ｄに応じて大ジャンルメニュー２３が並び替えられる（図７：ＳＴ７８）。この並び替えにより、大ジャンルメニュー２３は、図１３に示すように並び替えられる。この場合、「着信メロディ／カラオケ」は、図１３に示すように、「待受画面／フレーム」よりも上方側の位置に表示されるように並び替えられる。このように合計値Ｄに応じて大ジャンルメニュー２３の表示位置を並び替えることにより、情報提供に積極的な情報提供者が集まる大ジャンルメニュー２３を表示領域における目立ち易い位置に配置することが可能となる。
【００６５】
ここで、オークションシステム４により各メニューの表示位置が並び替えられる前のメニューリスト及びメニュー画面が図１４（ｂ）及び図１４（ｃ）に示す状態であるとする。この場合において、図１０に示す入札価格による入札処理及び落札処理が実行されたものとすると、メニューリスト及びメニュー画面は、図２（ａ）及び図２（ｂ）に示す状態となる。すなわち、「アニメーション／マンガ」においては、「ＡＡＡＡ」、「ＢＢＢＢ」及び「ＣＣＣＣ」の順に並んでいたリンクメニュー２１が、「ＡＡＡＡ」、「ＤＤＤＤ」及び「ＢＢＢＢ」の表示内容に切り替えられ、「キャラクター」においては、「ＥＥＥＥ」、「ＦＦＦＦ」及び「ＧＧＧＧ」の順に並んでいたリンクメニュー２１が、「ＧＧＧＧ」、「ＦＦＦＦ」及び「ＥＥＥＥ」の表示内容に切り替えられることとなる。
【００６６】
また、図１０に示すように、大ジャンルメニュー２３としての「着信メロディ／カラオケ」の各種データが登録されている場合には、図１２に示すように、小ジャンルメニュー２２としての「邦楽」の表示位置と「洋楽」の表示位置とが入れ替えられる。さらに、図１３に示すように、大ジャンルメニュー２３としての「待受画面／フレーム」の表示位置と「着信メロディ／カラオケ」の表示位置とが入れ替えられる。この場合、図２（ａ）に示すように、メニューリストにおいては、「着信メロディ／カラオケ」が「待受画面／フレーム」よりも上方側の位置に表示されることとなる。
【００６７】
このように本実施の形態に係るメニュー生成システムにおいては、情報提供者が提供する情報に対応付けられ、携帯電話網を用いて提供されるインターネット接続サービスのメニューリストから特定されるリンクメニュー２１の表示位置を、情報提供者からの入札価格に基づいて決定する際、情報提供者からの入札価格に基づいてリンクメニュー２１の表示位置の競売処理を行うと共に、その落札結果に応じてリンクメニュー２１の表示位置を並び替え、そのリンクメニュー２１の表示位置をメニューリストに反映させるようにしたことから、特定の情報提供者に対応するリンクメニュー２１のみが表示される事態を防止できるので、ユーザに対して新規且つ有用な情報を提供することが可能となる。
【００６８】
特に、本実施の形態に係るメニュー生成システムにおいては、リンクメニュー２１が属するジャンルを示し、当該リンクメニュー２１にリンクされた小ジャンルメニュー２２と一緒に表示される所定数のリンクメニュー２１の表示位置の競売処理を行う。これにより、小ジャンルメニュー２２と一緒に表示されるリンクメニュー２１が所定数に限定される場合においても、特定の情報提供者に対応するリンクメニュー２１のみが表示される事態を防止できるので、ユーザに対して新規且つ有用な情報を提供することが可能となる。
【００６９】
また、本実施の形態に係るメニュー生成システムにおいては、小ジャンルメニュー２２に属するリンクメニュー２１に対する落札総額に応じて小ジャンルメニュー２２の表示位置を並び替えるようにしたことから、例えば、情報提供に積極的な情報提供者が集まる小ジャンルメニュー２２を表示領域の目立つ位置に配置することができる。これにより、小ジャンルメニュー２２に属するリンクメニュー２１に対するユーザの注目度を向上することができるので、結果として、ユーザに対して新規且つ有用な情報を提供することが可能となる。
【００７０】
さらに、本実施の形態に係るメニュー生成システムにおいては、大ジャンルメニュー２３に関連付けられるリンクメニュー２１に対する落札総額に応じて大ジャンルメニュー２３の表示位置を並び替えるようにしたことから、例えば、情報提供に積極的な情報提供者が集まる大ジャンルメニュー２３を表示領域の目立つ位置に配置することができる。これにより、大ジャンルメニュー２３に関連付けられるリンクメニュー２１に対するユーザの注目度を向上することができるので、結果として、ユーザに対して新規且つ有用な情報を提供することが可能となる。
【００７１】
本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【００７２】
例えば、上記実施の形態においては、小ジャンルメニュー２２と一緒に表示されるリンクメニュー２１の表示数が予め定められている場合について説明しているが、当該リンクメニュー２１の表示数についてはこれに限定されるものではなく、適宜変更が可能である。例えば、各リンクメニュー２１に対する入札価格の合計額に応じてその表示数を調整するようにしても良い。この場合には、例えば、情報提供に積極的な情報提供者が集まる小ジャンルメニュー２２におけるリンクメニュー２１の表示数を増やすことができるので、このような情報提供者からの情報をユーザに提供する機会を増やすことが可能となる。
【００７３】
また、上記実施の形態においては、小ジャンルメニュー２２と一緒に表示される所定数のリンクメニュー２１の表示位置の競売処理を行い、これらの表示位置を並び替える場合について説明しているが、表示位置を並び替える対象とされるリンクメニュー２１については、これに限定されるものではない。例えば、小ジャンルメニュー２２を選択することで表示される全てのリンクメニュー２１の表示位置を並び替えるようにしても良い。すなわち、小ジャンルメニュー２２を選択すると、携帯電話機１においては、この小ジャンルメニュー２２にリンクされた全てのリンクメニュー２１が表示されるメニュー画面が表示される。このメニュー画面におけるリンクメニュー２１の表示位置を決定する際、これらに対する入札価格を参照して、その表示位置を並び替えるようにしても良い。この場合には、全てのリンクメニュー２１が表示されるメニュー画面においても、ユーザに対して新規且つ有用な情報を優先的に提供することが可能となる。
【００７４】
さらに、上記実施の形態においては、小ジャンルメニュー２２と一緒に表示される所定数のリンクメニュー２１の表示位置に対する掲載金額によって入札を行う場合について説明しているが、入札を行う際の対象金額はこれに限定されるものでなく、適宜変更が可能である。例えば、該当するリンクメニュー２１に対するアクセス履歴に基づく各種項目の単価によって入札を行うようにしても良い。そして、この場合には、当該単価による出来高に応じて情報提供者が支払う金額を決定することが好ましい。
【００７５】
以下、リンクメニュー２１に対するアクセス履歴に基づく各種項目の単価によって入札を行う場合の具体例について説明する。リンクメニュー２１に対するアクセス履歴に基づく各種項目としては、例えば、クリック延べ数、クリックユーザ数及び登録者数が考えられる。ここで、クリック延べ数は、リンクメニュー２１がクリックされた回数を示す。クリックユーザ数は、リンクメニュー２１をクリックしたユーザ数（リンクメニュー２１がクリックされた回数の内、同一ユーザが複数回クリックした回数を除いたもの）を示す。登録者数は、リンクメニュー２１に対応するＷｅｂサイトで会員登録を行うユーザ数を示す。このような各種単価によって入札を行う場合においても、上記実施の形態と同様に、ユーザに対して新規且つ有用な情報を提供できるという効果が得られる。
【００７６】
ここで、このようにリンクメニュー２１に対するアクセス履歴に基づく各種項目の単価によって入札を行う場合に情報提供者が支払う金額の一例について示す。ここでは、リンクメニュー２１に対するアクセス履歴に基づく各種項目が、上述したクリック延べ数、クリックユーザ数及び登録者数である場合について示す。この場合において、あるリンクメニュー２１の表示位置を落札した情報提供者における入札価格が、クリック延べ数単価：２０円、クリックユーザ数単価：２５円、登録者数単価：１０００円であったものとする。
【００７７】
この場合において、所定の期間（例えば１週間）におけるアクセス履歴が、クリック延べ数：２０，０００人、クリックユーザ数：１０，０００人、登録者数：１００人であるとすると、情報提供者は、７５０，０００円（クリック延べ数：４００，０００円＋クリックユーザ数：２５０，０００円＋登録者数：１００，０００円）を支払うこととなる。なお、このようなアクセス履歴は、アクセス集計処理部４５により集計される。このようにアクセス履歴に基づく各種項目の単価によって入札を行う場合には、アクセス履歴に見合った料金を情報提供者が支払うことになり、効果に見合う費用とすることが可能となる。また、これまでのアクセス履歴を入札前に提示することで、情報提供者が支払う金額が過度に高額となる事態を防止することが可能となる。この他、情報提供者が入札価格と併せて上限金額を設定し、予想よりもアクセスがある場合には上限金額を超えた時点で表示を取り止めることで、情報提供者が支払う金額が過度に高額となる事態を防止することが可能となる。
【００７８】
なお、上記実施の形態においては、携帯電話網を用いて提供されるインターネット接続サービスのメニューリストにおいて説明しているが、携帯電話網に限らず接続ユーザのアクセス履歴をカウントできるシステムであれば、これに限定されるものではない。また、携帯電話網向けのメニューリストと、パーソナルコンピュータ向けのメニューリストとで相互にアクセス履歴をカウントすることで、よりユーザに対して新規且つ有用な情報を優先的に提供することが可能となる。
【図面の簡単な説明】
【００７９】
【図１】本発明の一実施の形態に係るメニュー生成システムの概略構成を示す図である。
【図２】上記実施の形態に係るメニュー生成システムの移動通信センターから提供されるメニューリスト及びメニュー画面の一例を示す図である。
【図３】上記実施の形態に係るメニュー生成システムが有するオークションシステムの動作の概略について説明するためのフロー図である。
【図４】上記実施の形態に係るメニュー生成システムが有するオークションシステムにおけるＩＰ登録処理を説明するためのフロー図である。
【図５】上記実施の形態に係るメニュー生成システムが有するオークションシステムにおける入札処理を説明するためのフロー図である。
【図６】上記実施の形態に係るメニュー生成システムが有するオークションシステムにおける落札処理を説明するためのフロー図である。
【図７】上記実施の形態に係るメニュー生成システムが有するオークションシステムにおける並び替え処理を説明するためのフロー図である。
【図８】上記実施の形態に係るメニュー生成システムが有するオークションシステムにおけるデータ反映処理を説明するためのフロー図である。
【図９】上記実施の形態に係るメニュー生成システムが有するオークションシステムにおけるアクセス集計処理を説明するためのフロー図である。
【図１０】上記実施の形態に係るメニュー生成システムが有するオークションシステムにより表示位置が決定される各メニューの一例を説明するための図である。
【図１１】上記実施の形態に係るメニュー生成システムが有するオークションシステムにより表示位置が決定される各メニューの一例を説明するための図である。
【図１２】上記実施の形態に係るメニュー生成システムが有するオークションシステムにより表示位置が決定される各メニューの一例を説明するための図である。
【図１３】上記実施の形態に係るメニュー生成システムが有するオークションシステムにより表示位置が決定される各メニューの一例を説明するための図である。
【図１４】従来の携帯電話網を用いて提供されるインターネット接続サービスにおけるトップページ、メニューリスト及びメニュー画面を示す図である。
【符号の説明】
【００８０】
１  携帯電話機
２  コアネットワーク
３  移動通信センター
４  オークションシステム
５  インターネット
６  情報提供者ＰＣ
２１  リンクメニュー
２２  小ジャンルメニュー
２３  大ジャンルメニュー
４１  ＩＰ登録処理部
４２  入札／落札処理部
４３  並び替え処理部
４４  データ反映処理部
４５  アクセス集計処理部
４６  オークションデータベース（ＤＢ）
【図１】
2009301229.tif 000003
【図２】
2009301229.tif 000004
【図３】
2009301229.tif 000005
【図４】
2009301229.tif 000006
【図５】
2009301229.tif 000007
【図６】
2009301229.tif 000008
【図７】
2009301229.tif 000009
【図８】
2009301229.tif 000010
【図９】
2009301229.tif 000011
【図１０】
2009301229.tif 000012
【図１１】
2009301229.tif 000013
【図１２】
2009301229.tif 000014
【図１３】
2009301229.tif 000015
【図１４】
2009301229.tif 000016